(57)【要約】【課題】  大引の上面に断熱材を配置することなく、大引が熱橋となり断熱効果が落ちることのない床の断熱構造を提供する。【解決手段】  大引１の真下に位置する下部および隣接する下部間である中間部に配置される第１の断熱材３を有することを特徴とする床の断熱構造。【選択図】図１Ａ
2014077331.tif 000002
【特許請求の範囲】
【請求項１】
大引の真下に位置する下部および隣接する下部間である中間部に配置される第１の断熱材を有することを特徴とする床の断熱構造。
【請求項２】
前記第１の断熱材は、前記下部および中間部が連続的に形成されてなることを特徴とする請求項１に記載の床の断熱構造。
【請求項３】
前記第１の断熱材は、前記下部および中間部が同一の部材からなることを特徴とする請求項１または２に記載の床の断熱構造。
【請求項４】
前記第１の断熱材の上面は、前記大引の下面に接触していることを特徴とする請求項１〜３に記載の床の断熱構造。
【請求項５】
第２の断熱材が隣接する大引間に更に配置されていることを特徴とする請求項１〜４に記載の床の断熱構造。
【請求項６】
上部が大引の上面、側面または下面に固定され、下端には前記第１の断熱材の下面を支持する水平部が設けられている支持具を更に有することを特徴とする請求項１〜５に記載の床の断熱構造。
【請求項７】
前記第１の断熱材の下面に接着され、前記第１の断熱材の側縁部から食み出す複数の耳部を備えるシートを更に有し、該複数の耳部を介して大引に前記第１の断熱材が支持されることを特徴とする請求項１〜５に記載の床の断熱構造。
【請求項８】
前記第２の断熱材または前記第２の断熱材を支持する支持具に連結され、前記第１の断熱材を支持する連結具を更に有することを特徴とする請求項５に記載の床の断熱構造。
【発明の詳細な説明】
【技術分野】
【０００１】  本発明は、断熱材を用いた床の断熱構造に関する。
【背景技術】
【０００２】  特許文献１には、取付け金具を用いて大引間にグラスウールやロックウールなどの断熱材を保持する構造が開示されている。特に特許文献１の金具は金属製の平板が直角に屈曲された断面略Ｌ字状をなし、側面に断熱材受バーを設け、グラスウールやロックウールなどの柔らかい断熱材を用いる場合であっても、断熱材の中央部が撓むのを抑制している。【０００３】  特許文献２には、大引の上面に取付け金具を載せるための第一板状部と、大引の側面に沿うように形成された第二板状部と、第二板状部の下端側に接続される大引の側方に配される断熱材の下面を載せるための第三板状部とを折り曲げ加工を施すことにより連続的に形成した取付け金具が提案されている。特に、第三板状部の幅方向の端部の少なくとも一方が下向きに折り曲げられることによって突き当て部が形成され、第三板状部に下向きの荷重がかかった際に突き当て部の第二板状部側端部が大引の側面に突き当たる構成が開示されている。【０００４】  特許文献３の図３およびその説明には、断熱材の側端から一定幅で不織布からなる耳部を食み出させ、この大引間に断熱材を配置するとともに、前記耳部を大引に止着することで大引間に断熱材を保持する技術が開示されている。
【先行技術文献】
【特許文献】
【０００５】
【特許文献１】  特開２０１１−０７４６６４号公報
【特許文献２】  特開２００９−１０２８９１号公報
【特許文献３】  特開２００８−１９６２７０号公報
【発明の概要】
【発明が解決しようとする課題】
【０００６】  特許文献１〜３の何れも大引間に断熱材を保持する構造になっている。ここで、大引は木材からなるため断熱材よりも断熱性能に劣り、大引自体が熱橋となり断熱効果が落ちる。【０００７】  これを解消するため、大引の上面間に例えば３０ｃｍ間隔で根太を設け、この根太間に大引の上面を覆う断熱材を配置すること可能であるが、この手段では根太を取付ける手間がかかり、また大引の上方空間が狭くなってしまう。【０００８】  そこで、本発明は、大引の上面に断熱材を配置することなく、大引が熱橋となり断熱効果が落ちることのない床の断熱構造を提供することを目的とする。
【課題を解決するための手段】
【０００９】  上記課題を解決するため本発明に係る床の断熱構造は、大引の真下に位置する下部および隣接する下部間である中間部に配置される第１の断熱材を有する。【００１０】  上記構造によると、第１の断熱材が、大引の真下に位置する下部および隣接する２つの下部間である中間部からなるため大引が熱橋とならない。すなわち、断熱効果が大引の部分においても落ちることがない。また、根太を大引の上面に掛け渡し、この根太間に断熱材を配置する必要がないので、根太を取り付ける作業を省略でき、また大引の上方空間を大きくとれる。【００１１】  上記構造において、第１の断熱材は、下部および中間部が連続的に形成されてなってもよい。【００１２】  上記構造によると、下部および中間部が連続的に形成されているため、熱橋がなく断熱効率を高めることができる。【００１３】  上記構造において、第１の断熱材は、下部および中間部が同一の部材からなってもよい。【００１４】  上記構造によると、下部および中間部が同一の部材からなるため、断熱材の製造が容易であり、複数の部材からなる場合と比較して安価となる。【００１５】  上記構造において、第１の断熱材の上面は、大引の下面に接触していてもよい。【００１６】  上記構造によると、第１の断熱材が大引の仮面と接触しているため、断熱構造の高さ方向の厚みを小さくすることができる。【００１７】  上記構造において、第２の断熱材が隣接する大引間に更に配置されてもよい。【００１８】  上記構造によると、第１の断熱材に加え第２の断熱材が大引間に配置されるため、より一層断熱効果を高めることができる。【００１９】  上記構造において、上部が大引の上面、側面または下面に固定され、下端には第１の断熱材の下面を支持する水平部が設けられている支持具を更に有してもよい。第２の断熱材を更に有する構造の場合、第２の断熱材は、第１の断熱材によって支持される。【００２０】  上記構造において、第１の断熱材の下面に接着され、第１の断熱材の側縁部から食み出す複数の耳部を更に備えてもよく、該複数の耳部を介して大引に第１の断熱材が支持されてもよい。第２の断熱材を更に有する構造の場合、第２の断熱材は、第１の断熱材によって支持される。【００２１】  上記構造において、第２の断熱材または第２の断熱材を支持する支持具に連結され、第１の断熱材を支持する連結具を更に有してもよい。
【発明の効果】
【００２２】  本発明によると、大引の上面に断熱材を配置することなく、大引が熱橋となり断熱効果が落ちることのない床の断熱構造を提供することができる。
【図面の簡単な説明】
【００２３】
【図１Ａ】第１実施例に係る床の断熱構造を示す縦断面図である。
【図１Ｂ】第１実施例に係る支持具の斜視図である。
【図２Ａ】第２実施例に係る床の断熱構造を示す縦断面図である。
【図２Ｂ】第２実施例に係る支持具の斜視図である。
【図３Ａ】第３実施例に係る床の断熱構造を示す縦断面図である。
【図３Ｂ】第３実施例に係る支持具の斜視図である。
【図４】第４実施例に係る床の断熱構造を示す縦断面図である。
【図５】第５実施例に係る床の断熱構造を示す縦断面図である。
【図６】第６実施例に係る床の断熱構造を示す縦断面図である。
【発明を実施するための形態】
【００２４】  図１Ａを参照して本発明における第１実施例に係る床の断熱構造を説明する。隣接する大引１、１にそれぞれ固定された支持具４、４に第１の断熱材３が支持されている。第２の断熱材２が第１の断熱材３によって、第１の断熱材３の上に重なった状態で保持されている。ここで、第１断熱材３は、大引１の真下に位置する下部および隣接する２つの下部間である中間部からなる。そして、該下部および中間部は、連続的に形成された１つの断熱材として配置されている。第２の断熱材２は、必須ではなく、第１の断熱材３のみが支持具４、４によって支持されていてもよい。その場合、第１の断熱材３は、床断熱として十分な断熱性能を有する必要がある。
【００２５】  次に図１Ｂを参照して支持具４を詳細に説明する。支持具４は、大引１の側面に当接する垂直部５と、垂直部５の上端から該上端の一方側に略水平方向に延在し、大引１の上面に固定される係止部６と、係止部６の延在方向と同方向に延在し、垂直部５の下端に長手方向略中央部が接続されている水平部７と、からなる。係止部６にはビス穴６ａが形成され、ビス穴６ａにビスなどの部材が挿入されることによって、支持具４が大引１に固定される。水平部７の片側の上面で第１の断熱材３の側縁部下面を支持している。この第１実施例にあっては、第１の断熱材３の一方の側縁部が一方の大引１の下部全体に配置され、他方の側縁部は他方の大引１の下部には配置されない。また、図示しないが、実際の施工法としては、隣接する第１断熱材３の側縁部が水平部７の他側の上面によって支持されている。
【００２６】  図２Ａを参照して本発明における第２実施例に係る床の断熱構造を説明する。第２実施例に係る床の断熱構造は、第１実施例と同様に、第２の断熱材２は、第１の断熱材３の上に重なった状態で保持されている。第１実施例との差異は、第１の断熱材３が支持具８によって支持されている点である。第２実施例においても、第２の断熱材２は、必須ではなく、第１の断熱材３のみが支持具８、８によって支持されていてもよい。その場合、第１の断熱材３は、床断熱として十分な断熱性能を有する必要がある。
【００２７】  図２Ｂを参照して支持具８を詳細に説明する。支持具８は、大引１の側面に当接し大引１の側面に固定される垂直部９と、垂直部９の下端から該下端の両方向略水平方向に延在し、一端が大引１の真下の方向に延在し多端が該大引１の真下とは逆方向に延在する水平部１０と、からなる。垂直部９にはビス穴９ａが形成され、ビス穴９ａにビスなどの部材が挿入されることによって、支持具８が大引１に固定される。水平部１０の片側の上面で第１の断熱材３の側縁部下面を支持している。この実施例も第１実施例と同様に、第１の断熱材３は隣接する大引１、１の一方の下部のみに配置される。また、図示しないが、実際の施工法としては、隣接する第１断熱材３の側縁部が水平部１０の他側の上面によって支持されている。
【００２８】  図３Ａを参照して本発明における第３実施例に係る床の断熱構造を説明する。第３実施例に係る床の断熱構造は、第１実施例と同様に、第２の断熱材２は、第１の断熱材３の上に重なった状態で保持されている。第１実施例との差異は、第１の断熱材３は支持具１１によって支持されている点である。第３実施例においても、第２の断熱材２は、必須ではなく、第１の断熱材３のみが支持具１１、１１によって支持されていてもよい。その場合、第１の断熱材３は、床断熱として十分な断熱性能を有する必要がある。
【００２９】  図３Ｂを参照して支持具１１を詳細に説明する。支持具８は、大引１の側面に当接し大引１の側面に固定される垂直部９と、垂直部９の下端から該下端の両方向略水平方向に延在し、一端が大引１の真下の方向に延在し多端が該大引１の真下とは逆方向に延在する水平部１０と、からなる。支持具１１は、水平部１２と、該水平部１２の長手方向略中央部から上方に向かって大引１の下に固定される固定部１３と、からなる。固定部１３は、釘、螺子、圧着などによって支持具１１を大引１に固定する。水平部１２の上面で隣接する２つの第１の断熱材３を保持する。
【００３０】  実施例３にあっては、第１の断熱材３のそれぞれの側縁部が隣接する２つの大引１、１の下部の半分を覆う。大引１、１の下部の残りの半分は隣接する第１の断熱材３が配置されることで断熱されるが、最端の大引１の下部については、第１の断熱材３の一側縁部が大引１全体に配置されるように形成されてもよい。
【００３１】  図４を参照して本発明における第４実施例に係る床の断熱構造を説明する。第４実施例に係る床の断熱構造は、第１実施例と同様に、第２の断熱材２は、第１の断熱材３の上に重なった状態で保持されている。第１実施例との差異は、第１の断熱材３がシート１４によって支持されている点である。第１の断熱材３の下面に不織布などからなるシート１４を貼り付け、このシート１４が第１の断熱材３の両側端から食み出た耳部１５を形成している。そして、左右の耳部１５を折り曲げて隣接する大引１，１の上面（側面でもよい）に耳部１５の端部を重ねて止着することで第１の断熱材３を支持している。更に第１断熱材の上に第２の断熱材２を保持している。第４実施例においても、第２の断熱材２は、必須ではなく、第１の断熱材３のみがシート１４によって支持されていてもよい。その場合、第１の断熱材３は、床断熱として十分な断熱性能を有する必要がある。
【００３２】  この第４の実施例では第１実施例と同様に、第１の断熱材３の一方の側縁部が一方の大引１の下部全体に配置され、他方の側縁部は他方の大引１の下部には配置されない。
【００３３】  図５を参照して本発明における第５実施例に係る床の断熱構造を説明する。第５実施例に係る床の断熱構造は、第２の断熱材２が支持具１６によって大引１，１間に保持され、第２の断熱材２に連結具１７を介して第１の断熱材３が保持されている。支持具１６は、周知の支持具を用いることができるため、ここでは特に詳細に説明しない。
【００３４】  連結具１７は、第および第２の断熱材３、２を貫通す軸部１７ａおよび該軸部１７ａの下端に接続された上面が平面からなる平面部１７ｂからなる。軸部１７ａの上端部には、棒状または平面状の抜け止め部１７ｃが設けられている。
【００３５】  実施例５にあっては、第１の断熱材３のそれぞれの側縁部が隣接する２つの大引１、１の下面の半分を覆う。大引１、１の下部の残りの半分は隣接する第１の断熱材３が重なることで断熱されるが、最端の大引１の下部については、第１の断熱材３の一側縁部が大引１全体に配置ように形成されてもよい。
【００３６】  図６を参照して本発明における第６実施例に係る床の断熱構造を説明する。第６実施例に係る床の断熱構造は、第２の断熱材２が支持具１６によって大引１，１間に保持され、第２の断熱材２に連結具１８を介して第１の断熱材３が保持されている。第６実施例に係る床の断熱構造は、第２の断熱材２を保持している支持具１６に連結具１８が連結される点以外は、実施例５と同様である。
【産業上の利用可能性】
【００３７】  本発明に係る床の断熱構造は木造軸組構法などにおいて利用することができる。
【符号の説明】
【００３８】  １…大引、２…第２の断熱材、３…第１の断熱材、４…支持具、５…支持具４の垂直部、６…支持具４の係止部、６ａ…ビス穴、７…支持具４の水平部、８…支持具、９…支持具８の垂直部、９ａ…ビス穴、１０…支持具８の水平部、１１…支持具、１２…支持具１１の水平部、１３…固定部、１４…シート、１５…耳部、１６…支持具、１７…連結具、１７ａ…軸部、１７ｂ…平面部、１７ｃ…抜け止め部、１８…連結具。
【図１Ａ】
2014077331.tif 000003
【図１Ｂ】
2014077331.tif 000004
【図２Ａ】
2014077331.tif 000005
【図２Ｂ】
2014077331.tif 000006
【図３Ａ】
2014077331.tif 000007
【図３Ｂ】
2014077331.tif 000008
【図４】
2014077331.tif 000009
【図５】
2014077331.tif 000010
【図６】
2014077331.tif 000011